(57)【特許請求の範囲】
【請求項１】
装置本体に設けられた搬送部からの紙葉類媒体を受容可能に一側面に開口された紙葉類搬入口と、前記紙葉類搬入口を開閉するシャッタ部材と、前記紙葉類搬入口を閉口するように前記シャッタ部材を上方に保持する付勢手段と、前記シャッタ部材の開閉運動を規制するロック部材とを備え、前記装置本体の収容部への装着操作により前記装置本体に設けられた開口手段が前記付勢手段に抗して前記シャッタ部材を下方へ移動して前記紙葉類搬入口が開口され、前記収容部からの取り外し操作により前記開口手段が前記シャッタ部材より待避し前記付勢手段により前記シャッタ部材を上方へ移動して前記紙葉類搬入口が閉口されかつ前記ロック部材により前記シャッタ部材の開閉運動が規制される紙葉類収納装置において、
前記紙葉類搬入口が半開状態で前記取り外し操作を行ったときに前記ロック部材と当接される前記シャッタ部材の当接部分に、前記シャッタ部材の移動方向に対して直交し前記ロック部材と係合する水平の下辺と前記シャッタ部材の移動方向に対して傾斜された上辺とを有する鋸歯状突起部を複数備えていることを特徴とする紙葉類収納装置。
【請求項２】
前記シャッタ部材は、前記紙葉類搬入口の半開状態が解除されたとき前記付勢手段の力により前記シャッタ部材の弾性変形内で変形して前記鋸歯状突起部がロック部材を乗り越えることで前記紙葉類搬入口を閉口する方向に移動することを特徴とする請求項１記載の紙葉類収納装置。
【発明の詳細な説明】
【０００１】
【発明の属する技術分野】
本発明は、一括して投入された紙幣のような紙葉類（媒体）を１枚ずつ搬送または繰り出し、装置内部に整列した状態で一時集積し、上位装置からの指令により、一時保留した媒体を装置内部に収納したり返却したりする媒体取引装置に適用して好適なものであって、媒体取引装置が受け入れた多数枚の紙幣などの紙葉類を堆積収納し、収納された紙幣を回収するときには媒体取引装置から取り外すことができる紙葉類収納装置に関する。
【０００２】
【従来の技術】
媒体取引装置、たとえば紙幣入金機などにおいては、複数枚の紙幣を一括して受け入れ、それを１枚ずつ分離して金種の判定、金種ごとの計数、真偽判定などを行い、その結果が入金者によって確認されると、内部に装着された紙幣収納庫まで搬送されて収納され、入金者の確認が取れなければ、返却するような構成になっている。
【０００３】
ここで、従来の紙幣入金機の構造の一例について説明する。
図２４は紙幣入金機の概略構成を示す図である。
この図２４において、紙幣入金機１は、少なくとも１枚以上の紙幣を入金または返却可能な入金・返却部２と、入金された複数枚の紙幣を１枚ずつに分離して繰り出しを行う分離部３と、紙幣の金種や搬送状態を判定する鑑別部４と、鑑別部４の判定結果を基に紙幣の搬送路を切り換える分岐部５と、紙幣を集積する一時保留部６と、紙幣を収納する紙幣収納庫７と、分岐部５および一時保留部６でそれぞれ返却された紙幣が合流する合流部８と、一時保留部６で保留された紙幣の搬送路を収納指令または返却指令に基づいて切り換える分岐部９とで構成されている。
【０００４】
このような構成の紙幣入金機１の動作を紙幣の流れを中心に説明する。まず、１枚または複数枚の紙幣が入金・返却部２に投入されると（矢印１０ａ）、その紙幣は分離部３に一括して搬送される（矢印１０ｂ）。分離部３では、複数枚の紙幣が１枚ずつに分離されて鑑別部４へ順次繰り出される（矢印１０ｃ）。鑑別部４は入力された紙幣に対して、金種の判定、金種ごとの計数、真偽判定、分離搬送状態の適否判定などを行い、判定を終了した紙幣を出力する（矢印１０ｄ）。分岐部５は鑑別部４の判定結果に応じて紙幣の搬送路の切り換え動作を行う。分岐部５は、判定結果が肯定ならば、紙幣が一時保留部６への進入を許可する方向に搬送路の切り換え制御を行い（矢印１０ｅ）、判定結果が否定ならば、紙幣が合流部８へ進む方向に搬送路の切り換え制御を行う（矢印１０ｆ）。合流部８へ進んだ紙幣は、入金・返却部２へ搬送される。
【０００５】
一時保留部６へ搬送された紙幣は順次集積され、所定の集積が終了すると、集積された紙幣は一括して出力される。その後、入金者の確認に従って分岐部９は紙幣の搬送路切り換え動作を行う。分岐部９は、入金者による収納指令があると、紙幣が紙幣収納庫７へ進む方向へ搬送路の切り換え制御を行い、一括して出力された紙幣は紙幣収納庫７へ搬送されて収納される（矢印１０ｇ）。入金者による返却指令があると、分岐部９は紙幣が合流部８へ進む方向に搬送路の切り換え制御を行い、一括して出力された紙幣は合流部８の方向へ向けられ、入金・返却部２へ搬送される（矢印１０ｈ）。
【０００６】
ここで、紙幣収納庫７は、紙幣入金機１から着脱可能な構造（カセット構造）となっており、管理者は紙幣入金機１から取り外した紙幣収納庫７のみを、別の場所に運搬して収納された紙幣を回収することができるようになっている。そのため、紙幣収納庫７は、カセット金庫として防盗性が必要とされる。そこで、紙幣収納庫７は、紙幣入金機１に取り付けたときに搬送されてきた紙幣を受け入れる紙幣入口を持つが、運搬時の紙幣収納庫７内の紙幣の防盗性を確保するため、その紙幣入口にシャッタを設置し、紙幣収納庫７を紙幣入金機１から取り外したときにその紙幣入口を塞ぎ、かつ紙幣入金機１に取り付けない限りは開閉動作しないようなロック機構を持つようにしている。
【０００７】
このような紙幣収納庫７は、そのガイドレールを紙幣入金機１に設けられた案内溝に沿うように挿入することで、紙幣入金機１に装着される。紙幣収納庫７が装着されることによって、ロック機構が解除されて、シャッタが開き、紙幣入口が開口し、紙幣入金機１側に設けられた搬送路が紙幣入口の前方に位置するようになる。これにより、紙幣収納庫７に紙幣の収納が可能となる。
【０００８】
【発明が解決しようとする課題】
しかしながら、従来の紙収納庫のロック機構は、紙収納庫が紙幣入金機から取り外された際にシャッタが完全に閉じることでシャッタをロックしているため、紙幣が紙幣収納庫に搬送されている途中で、紙幣ジャムまたは停電があると、搬送途中の紙幣が紙幣収納庫の紙幣入口で滞留し、シャッタを完全に閉めることはできない。このような場合、ロック機構はシャッタをロックすることができないため、そのまま紙収納庫を紙幣入金機から取り外すと、半開状態のシャッタを自由に開けることができ、紙幣入口から既に収納された紙幣に容易にアクセスすることができることから、紙幣収納庫内部の紙幣の防盗性が確保できないという問題点があった。
【０００９】
本発明はこのような点に鑑みてなされたものであり、シャッタが半開状態のまま紙幣入金機から取り外した場合においても、中に収納済みの紙幣に対する防盗性を確保することができる紙葉類収納装置を提供することを目的とする。
【００１０】
【課題を解決するための手段】
本発明では上記問題を解決するために、装置本体に設けられた搬送部からの紙葉類媒体を受容可能に一側面に開口された紙葉類搬入口と、前記紙葉類搬入口を開閉するシャッタ部材と、前記紙葉類搬入口を閉口するように前記シャッタ部材を上方に保持する付勢手段と、前記シャッタ部材の開閉運動を規制するロック部材とを備え、前記装置本体の収容部への装着操作により前記装置本体に設けられた開口手段が前記付勢手段に抗して前記シャッタ部材を下方へ移動して前記紙葉類搬入口が開口され、前記収容部からの取り外し操作により前記開口手段が前記シャッタ部材より待避し前記付勢手段により前記シャッタ部材を上方へ移動して前記紙葉類搬入口が閉口されかつ前記ロック部材により前記シャッタ部材の開閉運動が規制される紙葉類収納装置において、前記紙葉類搬入口が半開状態で前記取り外し操作を行ったときに前記ロック部材と当接される前記シャッタ部材の当接部分に、前記シャッタ部材の移動方向に対して直交し前記ロック部材と係合する水平の下辺と前記シャッタ部材の移動方向に対して傾斜された上辺とを有する鋸歯状突起部を複数備えていることを特徴とする紙葉類収納装置が提供される。
【００１１】
このような紙葉類収納装置によれば、紙葉類搬入口が半開状態のまま装置本体からの取り外し操作を行ったとき、シャッタ部材の当接部分は、シャッタ部材が紙葉類搬入口を閉口する位置よりも下方にあるため、ロック部材は、シャッタ部材のロック位置でシャッタ部材の当接部分に位置することになる。このとき、シャッタ部材の当接部分には鋸歯状突起部が設けられているので、ロック部材は、その鋸歯状突起部と係合し、シャッタ部材をその位置よりも下方へ移動しないようにする。これにより、シャッタ部材はそれ以上開かないので、中に収納された紙幣に対する防盗性を確保することができる。
【００１２】
【発明の実施の形態】
以下、本発明の実施の形態を、紙幣入金機の紙幣収納庫に適用した場合を例に図面を参照して詳細に説明する。まず、紙幣入金機に装着される紙幣収納庫の外観について、図１〜図３を参照して説明する。
【００１３】
図１は紙幣収納庫の前方から見た外観を示す斜視図、図２は紙幣収納庫の後方から見た外観を示す斜視図、図３はシャッタが下がって紙幣入口が開口した状態を示す斜視図である。
【００１４】
これらの図において、紙幣収納庫７は、正面に紙幣入口１１が設けられた筐体１２を有し、この筐体１２内には、紙幣入口１１の近傍に上下方向に摺動自在に支持されたシャッタ１３と、紙幣入口１１を介して搬送された入金紙幣を収納するための収納部１４とが設けられている。
【００１５】
筐体１２の後方には、収納部１４に収納された紙幣を取り出すための開口部（図示せず）と筐体１２に回転自在に保持された扉１５とが設けられている。この扉１５には、扉１５を開けるときに用いられるつまみ部１６が設けられている。また、筐体１２の上面には、この紙幣収納庫７を運搬するときに用いる取っ手１７が設けられている。さらに、この紙幣収納庫７を紙幣入金機１に装着するときの案内に用いるガイドブロック１８が筐体１２の両側面におのおの設けられている。
【００１６】
この紙幣収納庫７において、紙幣入金機から取り外されたときは、図１に示すように、シャッタ１３は上方位置に保持されて紙幣入口１１は閉止状態になり、紙幣入金機に装着されると、図３に示すように、シャッタ１３は下方位置に保持されて紙幣入口１１は開口状態となる。
【００１７】
次に、このような紙幣収納庫７の内部構造について、図４〜図７を参照して説明する。
図４は紙幣収納庫の正面図、図５は図４におけるａ−ａ断面図、図６は図５におけるｂ−ｂ断面図、図７は図６におけるｃ−ｃ断面図である。
【００１８】
これらの図において、シャッタ１３は、正面および右側面側に屈曲されてＬ字状に形成され、その右側面に形成された長円穴１９ａ，１９ｂと収納部１４を構成している右側壁２０に固定されたピン２１ａ，２１ｂとにより上下方向に摺動自在に支持されている。また、シャッタ１３は、その右側面に形成された孔２２と筐体１２の頂部に形成されたフック２３との間に掛けられた引っ張りばね２４により上向き方向にばね力で付勢されており、初期状態において、紙幣入口１１を閉じるようになっている。さらに、シャッタ１３の下方にはローラ２５が取り付けられ、下方後端にはストッパ２８が形成されている。
【００１９】
また、筐体１２の右側面の内側には、Ｌ字状のロック２９が、筐体１２に固定されたピン３０を中心として回転するよう取り付けられている。このとき、このロック２９は、シャッタ１３と並列した位置で、シャッタ１３のストッパ２８の真下に位置するようになっている。また、ロック２９は、これに形成された孔３１と筐体１２に形成されたフック３２との間に掛けられた引っ張りばね３３により図５中反時計回りの方向にばね力で付勢されており、初期状態においてシャッタ１３のストッパ２８の上下（開閉）進路を塞ぐようになっている。これにより、紙幣収納庫７が紙幣入金機１から取り外されているときには、シャッタ１３がロックされて開くことができない。さらに、ロック２９の前方にはピン３４が取り付けられている。
【００２０】
ここで、シャッタ１３のローラ２５およびロック２９のピン３４は、紙幣入金機１に取り付けられる工程にて、紙幣入金機１に設けられた後述のシャッタ開閉板２６と係合される部分で、そのシャッタ開閉板２６と係合することにより、ロック２９の規制が外れ、シャッタ１３が上下動作（開閉動作）する。このため、筐体１２の正面には、図４に示すように、孔２７が形成され、この孔２７からシャッタ開閉板２６が挿入されて、ローラ２５およびピン３４と係合できるようになっている。
【００２１】
次に、紙幣収納庫７が装着される紙幣入金機１の収納庫収容部の構成について説明する。
図８は収納庫収容部の縦断面図、図９は図８におけるｄ−ｄ矢視図である。
【００２２】
紙幣入金機１の収納庫収容部１ａは、側板３５ａ，３５ｂによって囲まれた空間で形成されている。側板３５ａ，３５ｂには、それぞれ水平方向にガイドレール３６ａ，３６ｂおよび３６ｃ，３６ｄが取り付けられている。これらガイドレール３６ａと３６ｂおよび３６ｃと３６ｄの間に紙幣収納庫７のガイドブロック１８を挿入することにより、紙幣収納庫７の脱着方向の案内を行う。収納庫収容部１ａの奥（図８における左端）には、紙幣を搬送する搬送部３７、紙幣収納庫７の装着方向の位置決め部材であるストッパ軸３８ａ，３８ｂ、およびシャッタ開閉板２６が設けられている。
【００２３】
搬送部３７は、収納庫収容部１ａの中に紙幣収納庫７を装着した状態では、先端部が紙幣収納庫７の紙幣入口１１を介して中に入るような位置に設けられている。
【００２４】
また、シャッタ開閉板２６は、紙幣収納庫７が案内されてくる方向に配置されており、傾斜部２６ａ，２６ｂと水平部２６ｃとを有している。シャッタ開閉板２６の傾斜部２６ａは上述したロック２９のピン３４が、また、傾斜部２６ｂおよび水平部２６ｃはシャッタ１３のローラ２５が係合するようになっている。
【００２５】
次に、紙幣収納庫７を収納庫収容部１ａに装着するときのこれらの動作について、説明する。
図１０は紙幣収納庫を装着する前の状態を示す収納庫収容部および紙幣収納庫の斜視図、図１１は紙幣収納庫の装着初期の状態を示す縦断面図である。
【００２６】
紙幣収納庫７は、紙幣入口１１が設けられた面を収納庫収容部１ａの方に向けた状態で装着を行う。このとき、紙幣収納庫７の両側壁に設けられた各ガイドブロック１８を収納庫収容部１ａ内のガイドレール３６ａと３６ｂおよび３６ｃと３６ｄの間に挿入する。これにより、紙幣収納庫７はガイドブロック１８によって下側のガイドレール３６ｂ，３６ｄ上に載架された状態になり、この状態で、紙幣収納庫７を矢印ｅの方向に押し込むことで紙幣収納庫７が装着方向に案内されていき、装着することができる。
【００２７】
図１２はシャッタ開閉板の第１の係合状態を示す縦断面図、図１３はシャッタ開閉板の第２の係合状態を示す縦断面図、図１４はシャッタ開閉板の第３の係合状態を示す縦断面図、図１５は紙幣収納庫の装着完了の状態を示す縦断面図、図１６は紙幣収納庫を収納庫収容部に装着したときの斜視図である。
【００２８】
まず、紙幣収納庫７をガイドレール３６ａ〜３６ｄに沿って収納庫収容部１ａに挿入していくと、図１２に示したように、シャッタ開閉板２６が孔２７を通過して、その傾斜部２６ａがロック２９に設けたピン３４に当たり始める。このとき、図１３に示したように、ロック２９のピン３４はシャッタ開閉板２６の傾斜部２６ａに沿ってピン３０を中心に図中時計回り方向に回転する。これにより、ロック２９は、シャッタ１３のストッパ２８の進路の外に移動するため、シャッタ１３のロックが解除され、下方向に摺動可能な状態になる。
【００２９】
この状態のまま、紙幣収納庫７がさらに収納庫収容部１ａ内に挿入されていくと、図１３に示したように、シャッタ開閉板２６の傾斜部２６ｂにシャッタ１３のローラ２５が当たり始める。さらに紙幣収納庫７の挿入を続けると、ローラ２５はシャッタ開閉板２６の傾斜部２６ｂに沿って下降していき、図１４に示したように、ローラ２５の下降に伴ってシャッタ１３が下降していき、紙幣入口１１が開き始める。
【００３０】
ローラ２５がシャッタ開閉板２６の水平部２６ｃに達すると、図１５に示したように、シャッタ１３は最も下がった位置に達し、紙幣入口１１は完全に開口する。さらに、紙幣収納庫７の挿入を進めると、搬送部３７が紙幣入口１１内に挿入されていき、紙幣収納庫７がストッパ軸３８ａ，３８ｂに当接することで、紙幣収納庫７の装着が完了する。
【００３１】
以上のようにして紙幣収納庫７が装着された紙幣入金機１は、通常の入金動作を行い、入金された紙幣を搬送部３７により紙幣収納庫７へ搬送し、収納する。その後、管理者は紙幣収納庫７のみを、別の場所に運搬して収納された紙幣を回収するため、紙幣入金機１から紙幣収納庫７を取り外す。このときは、取り付け動作と全く逆の手順により、紙幣収納庫７は紙幣入金機１から取り外される。
【００３２】
つまり、取り外しに伴ってシャッタ開閉板２６が紙幣収納庫７から抜け出ていくが、その際、シャッタ１３が引っ張りばね２４の力に上方へ付勢されているので、ローラ２５がシャッタ開閉板２６の傾斜部２６ｂに沿って上昇することによりシャッタ１３が上昇し、ローラ２５がシャッタ開閉板２６の傾斜部２６ｂから外れることで、紙幣入口１１を完全に閉じる。それから、引っ張りばね３３により図中反時計方向にばね力で付勢されているロック２９は、ピン３４がシャッタ開閉板２６の傾斜部２６ａに沿って下降し、さらにシャッタ開閉板２６から外れることで、図中反時計回りに回転し、紙幣収納庫７の取付け前の初期状態に戻る。これにより、シャッタ１３はロック２９によって開（下）方向の動きが規制され、紙幣収納庫７の防盗性が保たれる。
【００３３】
ここで、紙幣収納庫７に紙幣を搬送している途中で紙幣ジャム、停電などのトラブルが発生した場合について説明する。
図１７は紙幣搬送途中の状態を示す紙幣収納庫の部分破断縦断面図、図１８は紙幣搬送未完了のまま収納庫収容部から取り出した状態を示す紙幣収納庫の縦断面図、図１９は図１８におけるｆ−ｆ矢視図である。
【００３４】
入金された紙幣３９は、図１７に示すように、搬送部３７から紙幣収納庫７へ搬送されるが、そのときに、紙幣ジャムや停電によって、紙幣３９の搬送が最後までできずに紙幣３９が紙幣収納庫７の紙幣入口１１で滞留することがある。この状態のまま紙幣収納庫７を収納庫収容部１ａから取り外すと、図１８に示すように、紙幣入口１１で滞留した紙幣３９がシャッタ１３と筐体１２の間に挟まれたまま取り出されることになる。
【００３５】
このとき、シャッタ１３は紙幣入口１１で滞留した紙幣３９に阻まれて紙幣入口１１のすべてを隠すまで上昇できていないため、滞留した紙幣３９を取り外すと、シャッタ１３が半開状態となってしまう。また、この状態では、図１９に示すように、シャッタ１３のストッパ２８がロック２９の下または並列に位置し、シャッタ１３のストッパ２８とロック２９とが係合できないため、シャッタ１３が自由に押下げ可能であり、したがって紙幣収納庫７に既に収納された内部の紙幣の防盗性を確保することができない。
【００３６】
そこで、本発明では、シャッタ１３が紙幣入口１１を全閉にしているとき以外にも、ロック２９がシャッタ開閉板２６の作用を受けていないときはいつでもシャッタ１３を開方向に移動するのを阻止するようにした。以下、この機構について説明する。
【００３７】
図２０はシャッタのストッパ近傍を示す部分拡大図である。
シャッタ１３のストッパ２８は、ロック２９が設けられている側の縁部に複数の鋸歯状突起４０を有している。この鋸歯状突起４０は、図示の例では、３箇所設けられており、各鋸歯状突起４０はシャッタ１３の移動方向に直交する水平部４０ａと、シャッタ１３の移動方向に対して傾斜させた傾斜部４０ｂとを有している。また、ストッパ２８の鋸歯状突起４０は、ロック２９が引っ張りばね３３によりその初期位置まで戻されているときには、ロック２９の係合部２９ａによってシャッタ１３の移動が遮られる位置まで突出している。
【００３８】
次に、ストッパ２８に鋸歯状突起４０を有しているシャッタ１３の動作および防盗性について、説明する。
図２１は紙幣搬送未完了のまま収納庫収容部から取り出したときの図１８におけるｆ−ｆ矢視図、図２２はシャッタが規制された状態を示す図１８におけるｆ−ｆ矢視図、図２３は図２１におけるｇ−ｇ矢視図である。
【００３９】
ここで、紙幣３９が搬送部３７によって紙幣収納庫７へ搬送されている途中に、紙幣ジャムあるいは停電があって、紙幣３９が紙幣収納庫７の紙幣入口１１で滞留したまま紙幣収納庫７を収納庫収容部１ａから取り外した場合、ロック２９はその初期位置に戻るが、シャッタ１３はシャッタ１３と筐体１２との間に挟まれた紙幣３９により完全に上昇するのを妨げられて途中で止まる。このとき、図２１に示すように、ロック２９の係合部２９ａの縁部は、ストッパ２８の鋸歯状突起４０に当接された状態になっている。
【００４０】
以上のような状態で、紙幣収納庫７内の紙幣を取り出すことを目的にシャッタ１３をさらに押し下げると、図２２に示すように、シャッタ１３のストッパ２８に形成された鋸歯状突起４０の水平部４０ａとロック２９の係合部２９ａとが係合する。これによって、シャッタ１３が規制（ロック）され、シャッタ１３をそれ以上押し下げすことはできなくなり、紙幣入口１１の高さは紙幣３９が挟まれている高さとなる。このシャッタ１３のロックにより、十分に紙幣入口１１が開かず、紙幣収納庫内の紙幣を取り出すことが困難となる。このとき、シャッタ１３のストッパ２８に鋸歯状突起４０を多数個形成することにより、滞留した紙幣３９の枚数（厚み）に拘らずシャッタ１３をロックさせることが可能となっている。
【００４１】
また、図２１の状態から滞留した紙幣３９を取り除いた場合には、シャッタ１３のストッパ２８に形成されている鋸歯状突起４０の傾斜部４０ｂがロック２９に当接するが、シャッタ１３が引っ張りばね２４によるばね力で図上上向き方向に付勢されているため、このばね力によって、シャッタ１３のストッパ２８が弾性変形内で変形してロック２９から逃げ、ストッパ２８の鋸歯状突起４０の傾斜部４０ｂに沿ってロック２９が乗り越える（図２３）。これを、ロック２９が乗り越えた位置より下側に存在する鋸歯状突起４０の個数分だけ繰り返すことによって、シャッタ１３は初期状態に戻り、紙幣入口１１を完全に閉じる。
【００４２】
【発明の効果】
以上説明したように、本発明では、脱着可能な紙幣収納庫を有する紙幣収納装置において、紙幣ジャムや停電などのトラブルによって紙幣収納庫の紙幣入口に紙幣が挟まった状態で紙幣入口を塞ぐためのシャッタが半開となっても、その滞留した紙幣の枚数（厚み）に応じて、シャッタに設けられた複数の鋸歯状突起のどれか１つにロック部材が係合し、シャッタのロックが可能となる。
【００４３】
また、シャッタ半開状態から滞留した紙幣を取り除くと、シャッタの付勢手段によってシャッタがロック部材を乗り越えて紙幣入口を完全に閉じることが可能となる。
【００４４】
以上のことにより、紙幣ジャムや停電などのトラブル時にも紙幣収納庫内の紙幣の防盗性が保たれる。
【図面の簡単な説明】
【図１】紙幣収納庫の前方から見た外観を示す斜視図である。
【図２】紙幣収納庫の後方から見た外観を示す斜視図である。
【図３】シャッタが下がって紙幣入口が開口した状態を示す斜視図である。
【図４】紙幣収納庫の正面図である。
【図５】図４におけるａ−ａ断面図である。
【図６】図５におけるｂ−ｂ断面図である。
【図７】図６におけるｃ−ｃ断面図である。
【図８】収納庫収容部の縦断面図である。
【図９】図８におけるｄ−ｄ矢視図である。
【図１０】紙幣収納庫を装着する前の状態を示す収納庫収容部および紙幣収納庫の斜視図である。
【図１１】紙幣収納庫の装着初期の状態を示す縦断面図である。
【図１２】シャッタ開閉板の第１の係合状態を示す縦断面図である。
【図１３】シャッタ開閉板の第２の係合状態を示す縦断面図である。
【図１４】シャッタ開閉板の第３の係合状態を示す縦断面図である。
【図１５】紙幣収納庫の装着完了の状態を示す縦断面図である。
【図１６】紙幣収納庫を収納庫収容部に装着したときの斜視図である。
【図１７】紙幣搬送途中の状態を示す紙幣収納庫の部分破断縦断面図である。
【図１８】紙幣搬送未完了のまま収納庫収容部から取り出した状態を示す紙幣収納庫の縦断面図である。
【図１９】図１８におけるｆ−ｆ矢視図である。
【図２０】シャッタのストッパ近傍を示す部分拡大図である。
【図２１】紙幣搬送未完了のまま収納庫収容部から取り出したときの図１８におけるｆ−ｆ矢視図である。
【図２２】シャッタが規制された状態を示す図１８におけるｆ−ｆ矢視図である。
【図２３】図２１におけるｇ−ｇ矢視図である。
【図２４】紙幣入金機の概略構成を示す図である。
【符号の説明】
１  紙幣入金機
１ａ  収納庫収容部
１１  紙幣入口
１２  筐体
１３  シャッタ
１４  収納部
１８  ガイドブロック
１９ａ，１９ｂ  長円穴
２０  右側壁
２１ａ，２１ｂ  ピン
２２  孔
２３  フック
２４  引っ張りばね
２５  ローラ
２６  シャッタ開閉板
２６ａ，２６ｂ  傾斜部
２６ｃ  水平部
２７  孔
２８  ストッパ
２９  ロック
２９ａ  係合部
３０  ピン
３１  孔
３２  フック
３３  引っ張りばね
３４  ピン
３５ａ，３５ｂ  側板
３６  ガイドレール
３６ａ，３６ｂ，３６ｂ，３６ｄ  ガイドレール
３７  搬送部
３８ａ，３８ｂ  ストッパ軸
３９  紙幣
４０  鋸歯状突起
４０ａ  水平部
４０ｂ  傾斜部
【図１】
0003575330.tif 000002
【図２】
0003575330.tif 000003
【図３】
0003575330.tif 000004
【図４】
0003575330.tif 000005
【図５】
0003575330.tif 000006
【図６】
0003575330.tif 000007
【図７】
0003575330.tif 000008
【図８】
0003575330.tif 000009
【図９】
0003575330.tif 000010
【図１０】
0003575330.tif 000011
【図１１】
0003575330.tif 000012
【図１２】
0003575330.tif 000013
【図１３】
0003575330.tif 000014
【図１４】
0003575330.tif 000015
【図１５】
0003575330.tif 000016
【図１６】
0003575330.tif 000017
【図１７】
0003575330.tif 000018
【図１８】
0003575330.tif 000019
【図１９】
0003575330.tif 000020
【図２０】
0003575330.tif 000021
【図２１】
0003575330.tif 000022
【図２２】
0003575330.tif 000023
【図２３】
0003575330.tif 000024
【図２４】
0003575330.tif 000025